(57)【特許請求の範囲】
【請求項１】
組織生検装置であって、
使用者に把持されるように構成されたハンドルと、
前記ハンドルに動作可能に連結された針アセンブリであって、組織サンプルを切断するように構成される、前記針アセンブリと、
前記ハンドル及び針アセンブリに動作可能に連結された起動アセンブリであって、
付勢部材、
前記起動アセンブリが起動されたときに、前記付勢部材によって変位されるように構成される、第１のハブ部材、
前記針アセンブリに連結された第２のハブ部材であって、前記第１のハブ部材が前記第２のハブ部材に衝突したときに、前記第１のハブ部材が前記針アセンブリの少なくとも一部分を変位させるように構成される、前記第２のハブ部材、
及び前記ハンドルに対して前記第２のハブ部材の運動を止めるために、前記第２のハブ部材の運動エネルギーの一部分を吸収するように構成された、緩衝部材（dampening member）を備える、起動アセンブリと、を備え、
前記針アセンブリが、前記第１のハブ部材に連結された第１の中空カニューレ及び前記第２のハブ部材に連結された第２の中空カニューレを備え、前記第１の中空カニューレが、組織サンプルの遠位端を切断するように構成され、前記第２の中空カニューレが、組織サンプルの長手方向部分を切断するように構成される、
生検装置。
【請求項２】
前記第１のハブ部材が、前記第２のハブ部材に衝突する前に、ある距離にわたって変位される、請求項１に記載の生検装置。
【請求項３】
前記付勢部材が、前記装置が起動されたときに、前記第２のハブ部材に直接力を及ぼさない、請求項１又は２に記載の生検装置。
【請求項４】
前記装置が起動されたときに、前記第１のハブ部材に関連する運動エネルギーが前記第２のハブ部材に伝達されて前記第２のハブ部材を加速させる、請求項１〜３のいずれか一項に記載の生検装置。
【請求項５】
前記第１の中空カニューレが、螺旋状の切れ目を更に備え、前記螺旋状の切れ目が、前記ハンドルに対する前記第１の中空カニューレの相対的変位に反応して長手方向に圧縮するように構成される、請求項１〜４のいずれか一項に記載の生検装置。
【請求項６】
前記螺旋状の切れ目の前記圧縮が、前記第１の中空カニューレの中心軸を中心として１つ以上の切開要素を回転させるように構成される、請求項５に記載の生検装置。
【請求項７】
前記ハンドルに動作可能に連結された調節可能な停止部材を更に備え、前記調節可能な停止部が、前記第２のハブ部材の移動長さを変化させるために、連続範囲にわたって調節可能である、請求項１〜６のいずれか一項に記載の生検装置。
【請求項８】
前記調節可能な停止部材が、長手方向の変位なく回転されるように構成された第１の部分と、前記第１の部分を回転させるときに長手方向に変位されるように構成された第２の部分と、を備える、請求項７に記載の生検装置。
【請求項９】
前記第１のハブ部材及び前記第２のハブ部材が、前記生検装置の動作中取り外し可能に連結されている、請求項７又は８に記載の生検装置。
【請求項１０】
前記第１のハブ部材及び前記第２のハブ部材が、前記生検装置の動作中、前記装置が起動されたときに、前記第１のハブ部材が前記第２のハブ部材より長い距離にわたって移動するように分離する、請求項９に記載の生検装置。
【請求項１１】
前記調節可能な停止部材と前記第２のハブ部材との間の接触により、前記第１のハブ部材と前記第２のハブ部材とが分離する、請求項１０に記載の生検装置。
【請求項１２】
前記緩衝部材が、前記調節可能な停止部材との相互作用により、前記ハンドルに対する前記第２のハブ部材の前記運動を止めるとき、前記緩衝部材が前記第２のハブ部材に関連する前記エネルギーの一部分を吸収するように、前記第２のハブと前記調節可能な停止部材との間に配置される、請求項７〜１１のいずれか一項に記載の生検装置。
【請求項１３】
前記緩衝部材が、弾性材料を備える、請求項１〜１２のいずれか一項に記載の生検装置。
【請求項１４】
前記緩衝部材が、前記生検装置の動作に関連する騒音を減少させる、請求項１〜１３のいずれか一項に記載の生検装置。
【請求項１５】
前記緩衝部材が、前記生検装置の動作中、触覚フィードバックを減少させる、請求項１〜１４のいずれか一項に記載の生検装置。
【請求項１６】
起動アセンブリ入力部を更に備え、前記入力部が、前記起動アセンブリをトリガするために前記起動アセンブリに動作可能に連結され、前記入力部が、前記ハンドルも把持している使用者の手で操作されるために構成されるように配置される、請求項１〜１５のいずれか一項に記載の生検装置。
【発明の詳細な説明】
【技術分野】
【０００１】
［関連出願］
本出願は、２０１５年３月４日に出願された米国仮特許出願第６２／１２８，１６６号表題「Ｄａｍｐｅｎｅｄ  Ｂｉｏｓｐｙ  Ｄｅｖｉｃｅ  ａｎｄ  Ｍｅｔｈｏｄ  ｏｆ  Ｕｓｅ」の優先権を主張し、これは本明細書において参照によりその全体が組み込まれる。
【０００２】
本開示は概して医療装置に関する。より具体的には、本開示は、緩衝構成要素（dampening components）を備えるシステムを含む、衝突により駆動するか、又は運動エネルギーによる動作システムを備えるように構成された生検装置を含む、生検装置に関する。
【０００３】
本明細書に開示される実施形態は、添付の図面と併用して、以下の記載及び添付の特許請求の範囲からより完全に明白となるであろう。これらの図面は、典型的な実施形態のみを描写しており、それらの実施形態は、以下の図面と関連付けて更に具体的にかつ詳細に記載される。
【図面の簡単な説明】
【０００４】
【図１】発射された構成における生検装置の斜視図である。
【図２】平面２−２から切り取った図１の生検装置の第１の断面図である。
【図３】平面３−３から切り取った図１の生検装置の第２の断面図である。
【図４】図１の生検装置の分解図である。
【図５Ａ】第１の面から切り取った図１の生検装置の一部分の第１の拡大断面図である。
【図５Ｂ】第１の面に対して垂直の第２の面から切り取った図５Ａの生検装置の一部分の第２の拡大断面図である。
【図６】線６−６の周りで切り取った図２の一部分の拡大断面図である。
【図７】装填構成における図１の生検装置の針アセンブリの一部分である。
【図８Ａ】装填構成における図７の針アセンブリの一部分の断面図である。
【図８Ｂ】図７のトリガされた構成における針アセンブリの一部分の断面図である。
【図９Ａ】図１の針アセンブリと類似の針アセンブリのピンサー構成要素の別の実施形態の斜視図である。
【図９Ｂ】線９Ｂ−９Ｂから切り取った図９Ａのピンサーの遠位端部分の詳細図である。
【発明を実施するための形態】
【０００５】
生検装置は、患者の身体内の様々な位置から組織サンプルを回収するように構成され得る。例えば、生検装置は、組織サンプルを切断するように構成されたカニューレ又は他の切断部材を備える針アセンブリを備えてもよい。針アセンブリは、患者の皮膚を介して（経皮的アクセス）身体内のある位置へと前進し得るか、又は身体管腔若しくは他の構造体を介して前進し得る。
【０００６】
更に、生検装置は、針アセンブリが標的組織サンプルを切断するように、針アセンブリを変位させるために構成された起動機構を備えてもよい。ばね、トリガなどの付勢機構は、施術者が起動機構の操作を介して針アセンブリの様々な構成要素を操作することを可能にするように構成され得る。ばねなどの機械的付勢機構に加えて、圧縮された気体又は他のエネルギー源が、生検装置を駆動するように構成されてもよい。いくつかの実施形態において、例えば、圧縮されたＣＯ２カートリッジが生検装置を駆動するために使用されてもよい。
【０００７】
エネルギー源にかかわらず、機構は、一旦針アセンブリが、生検が行われるべき組織に隣接するように配置されると、単一のトリガの起動により、針アセンブリの様々な構成要素を変位させて組織サンプルを切断するように構成されてもよい。起動機構内における付勢要素又は他のエネルギー源は、針アセンブリ構成要素を前進させるために必要な力をもたらすことができ、他の機構は、針アセンブリの個別の構成要素の相対的変位を制御し得る。
【０００８】
以下に更に開示されるように、生検装置は、構成要素間の運動エネルギーの伝達により、生検装置が起動されるように構成された構成要素を備えてもよく、これには衝突力によって１つ以上の構成要素が変位される状況が含まれる。
【０００９】
更に、生検装置は、装置の構成要素の加速／減速、構成要素間の衝突、振動、音などに関連するエネルギーを吸収するか、又は緩衝するように構成された１つ以上の緩衝構成要素を備えてもよい。緩衝部材は、別の構成要素を備えてもよいか、又は任意の他の構成要素の特徴部であってもよい。
【００１０】
本明細書において一般に記載され、図において描写される本実施形態の構成要素は、多種多様の構成で配置され設計され得ることが容易に理解される。したがって、図に表される様々な実施形態の以下のより詳細な記載は、本開示の範囲を制限することを意図するものではなく、単に様々な実施形態を表す。実施形態の様々な態様が図面で提示される一方で、図面は、具体的に示されない限りは縮尺に合わせて描かれているとは限らない。
【００１１】
用語「接続された」及び「連結された」とは、機械的、電気的、磁気的、電磁的、流体による、及び熱による相互作用を含む、２つ以上の要素間の任意の相互作用形態を指す。２つの構成要素は、互いに直接接触していないとしても、互いに連結され得る。例えば、２つの構成要素は、中間構成要素を介して互いに連結され得る。
【００１２】
方向に関する用語「近位」及び「遠位」は、本明細書においては、医療用装置上の反対側の位置を指すために使用される。装置の近位端は、施術者が装置を使用する際に、施術者に最も近い装置の端として定義される。遠位端は、装置の長手方向に沿って近位端と反対の、又は施術者から最も遠い端である。
【００１３】
図１は、発射構成における衝突生検装置１００の斜視図である。換言すると、以下に更に詳細に示すとおり、図１の構成では、生検装置１００の要素は、組織サンプルを得るために起動された後の生検装置１００の状態に対応する相対的位置に配置される。生検装置１００は、生検装置１００の使用中に施術者に把持されるように構成され得る本体部材１１０を備えてもよい。したがって、いくつかの実施形態において、本体部材１１０はハンドル又はつかみ部を備えてもよい。生検装置１００は、起動装置１２０を備えてもよい。起動装置１２０は、生検装置１００の装填を行うかつ／又はトリガするように構成されてもよい。起動装置１２０が部分要素のアセンブリを備える実施形態も、本開示の範囲内である。例えば、サブアセンブリの１つの要素は、装填構成要素を備えてもよく、別の要素はトリガ構成要素を備えてもよい。図示した実施形態においては、起動装置１２０は、遠位入力部１２２及び近位入力部１２４を備える。図示した実施形態においては、これらの入力部１２２、１２４は、一体化した１つの部材を備える１つの起動装置１２０の部分であり、他の実施形態においては、その一方又は双方が部分要素を備えてもよい。
【００１４】
追加として、及び以下に更に記述するように、本体部材１１０に対する起動装置１２０の変位は、生検装置１００の装填を行うように構成されてもよい。生検装置１００が装填構成にあるとき、本体部材１１０に対する起動装置１２０の更なる変位は、生検装置１００をトリガし得るか、又は解除し得る。装置をトリガすることにより、組織サンプルを得ることに関連して、針アセンブリ１８０の構成要素などの本体部材１１０内の要素を起動させることができる。
【００１５】
図示した実施形態は、起動装置１２０に動作可能に連結された安全タブ１２６を更に備える。安全タブ１２６の操作により、安全タブ１２６がロック位置にあるとき、トリガされないように起動装置１２０をロックすることによって、生検装置１００の偶発的なトリガを防止し得る。
【００１６】
更に、生検装置１００は、調節可能な停止アセンブリ１３０を備えてもよい。調節可能な停止アセンブリ１３０の１つ以上の構成要素の変位は、生検装置１００により切断された組織サンプルの長さを調節又は制御し得る。
【００１７】
図２は、図１の生検装置１００の第１の断面図であり、図３は、図１の衝突生検装置１００の第２の断面図である。図４は、図１の生検装置１００の分解図である。図２〜図４に示すように、生検装置１００は、針アセンブリ又は他の切断部材を変位させるように構成された構成要素を備える起動アセンブリを備えてもよい。本明細書において使用するとき、起動アセンブリとは一般的に、生検装置１００に連結された切断部材にエネルギーを伝達するように構成された構成要素を指す。例示的切断部材としては、針、トロカール、カニューレなどが挙げられる。
【００１８】
図１〜図４の実施形態において、針アセンブリ１８０は、生検装置１００に連結される。任意の様々な針、カニューレ、トロカール、スタイレット、又は他の器具を生検装置１００に連結することは、本開示の範囲内である。例えば、部分的コア組織サンプルを切断するように構成されたスタイレット及びカニューレが、生検装置１００に動作可能に連結され得る。更に、完全なコア組織サンプルを得るように構成された１つ以上のカニューレが、生検装置１００に動作可能に連結されてもよい。いくつかの実施形態において、針又は切断アセンブリの１つ以上の要素が、生検装置１００の本体部材１１０内の構成要素に連結されてもよく、本体部材１１０から、調節可能な停止アセンブリ１３０内の内腔を通って延在してもよい。
【００１９】
図１〜図３の実施形態において、生検装置１００は、サンプルを得るために起動された後の装置の状態に対応して、発射構成に配置される。このため、図１〜図３の構成では、サンプルを得るために、生検装置１００への第１の装填を行うことなく、生検装置１００をトリガさせることはできない。例えば、生検装置１００は、ばね１９０などの付勢要素を備えてもよい。発射構成では、ばね１９０は圧縮されていなくてもよい。装填後、及び装填構成にあるとき、ばね１９０は、位置エネルギーがばね１９０内に貯蔵されるように圧縮されるか、又は荷重をかけられてもよい。装填構成にあるとき、生検装置１００は起動される状態にある。したがって、生検装置１００は、初期構成に配置されるように構成されてもよい。初期出荷構成などの初期構成では、針アセンブリ１８０は、完全に起動させた位置に配置されていないこともあるが、ばね１９０は無荷重であってもよい。発射構成では、ばね１９０は無荷重であって、針アセンブリ１８０を完全に起動させてもよく、針アセンブリ１８０構成要素は、組織サンプルを切断後の状態に対応する相対位置にある。発射構成、装填構成、初期構成での針アセンブリ１８０の部材の位置は、以下に更に詳細に示す。
【００２０】
図２及び図３を参照すると、生検装置１００は、ピンサーハブ１４０などの第１のハブ部材を備えてもよい。ピンサーハブ１４０は、針アセンブリ１８０のピンサー部材１８２に連結されてもよい。したがって、ピンサーハブ１４０の変位により、ピンサー部材１８２を変位させてもよい。描写した実施形態においては、ばね１９０は、ピンサーハブ１４０とハウジング部材１６０のハウジングばね面１６２との間に配置される。描写した実施形態においては、ハウジング部材１６０は、本体部材１１０に連結される。
【００２１】
ここでも、図示した発射構成では、ばね１９０は少なくとも一部分が無荷重状態にある。本明細書で使用するとき、生検装置１００の装填は、生検装置１００の初期構成から装填構成への移行に対する生検装置１００の様々な構成要素の変位を示す。つまり、ばね１９０が圧縮され、サンプルを得るために生検装置１００がトリガされ得る構成を意味する。
【００２２】
図５Ａは、図２〜図４に示す第１の面から切り取ったものと同じ相対的位置での緩衝生検装置１００のピンサーハブ１４０及び針ハブ１５０の第１の拡大断面図である。図５Ｂは、第１の面に対して直交している第２の面から切り取った、図５Ａのピンサーハブ１４０及び針ハブ１５０の第２の拡大断面図である。
【００２３】
図２〜図４及び図５Ａ〜図５Ｂに示すとおり、ピンサーハブ１４０は、起動装置１２０上のピンサーハブキャッチ１２８と相互作用するために配置される起動装置キャッチ１４６を備える。動作中、使用者は、本体部材１１０に対して起動装置１２０を引き戻してもよく、起動装置は、近位方向に移動させる。起動装置１２０のこうした近位変位は、生検装置１００を発射構成から装填構成へと変換させる。同様に、生検装置１００の初期構成から装填構成への操作は、生検装置１００を装填することによって実施してもよい。起動装置１２０を近位方向に変位させる場合、起動装置１２０のピンサーハブキャッチ１２８は、ピンサーハブ１４０の起動装置キャッチ１４６と相互作用し、またピンサーハブ１４０を近位方向に引き戻す。ピンサーハブ１４０のこの変位により、ハウジング部材１６０のばね面１６２とピンサーハブ１４０との間のばね１９０が圧縮される。ピンサーハブ１４０は、ピンサーハブばね面１４２を備えてもよく、ピンサーハブ１４０の中心突起部１４１からの１つ以上の突出部を備えてもよい。装填構成にあるときには、ばね１９０は、中心突起部１４１の周りの少なくとも一部分に配置され、ピンサーハブばね面１４２との相互作用によって圧縮されてもよい。生検装置１００が装填構成にあるとき、ばね１９０は、生検装置がトリガされたときに解除され得る位置エネルギーを貯蔵する。
【００２４】
更に、生検装置１００が装填されるとき、ピンサーハブ１４０と針ハブ１５０との間の相互作用により、針ハブ１５０も変位され得る。例えば、生検装置１００の装填により、針ハブ１５０も近位方向に変位され得る。描写した実施形態においては、針ハブ１５０は、針アセンブリ１８０の針１８６に連結されるため、針ハブ１５０の変位により針も変位される。
【００２５】
ここでも図２〜図５Ｂを参照すると、ピンサーハブ１４０は、ピンサーハブ１４０を近位方向に引き戻したときに、針ハブ１５０の針ハブの角度付き面１５３と相互作用し得るピンサーハブの角度付き面１４３を備える。ピンサーハブ１４０を引き戻したとき、ピンサーハブの角度付き面１４３と針ハブの角度付き面１５３との間の相互作用より、針ハブ停止面１５６がハウジング肩部１６６に接触するまで、針ハブ１５０を引き戻すことができる。針ハブ停止面１５６とハウジング肩部１６６との間の相互作用により、針ハブ１５０の近位変位を更に防止することができる。
【００２６】
一旦針ハブ１５０の近位変位がハウジング肩部１６６によって止められると、ピンサーハブ角度付き面１４３と針ハブ角度付き面１５３が相互作用して、針ハブアーム１５５を放射状に変位させる可能性があり、ピンサーハブ角度付き面１４３を、針ハブ角度付き面１５３を超えて、ピンサーハブ遠位肩部１４４が針ハブ遠位キャッチ１５４の近位になるまで、近位方向に移動させることができる。その時点で、針ハブアーム１５５は、放射状に外向きの位置から戻る。いくつかの例においては、針ハブ１５０がハウジング肩部１６６に接触する前に、ピンサーハブ遠位肩部１４４が針ハブ遠位キャッチ１５４の近位になるまで、ピンサーハブ角度付き面１４３を、針ハブ角度付き面１５３を超えて近位方向に移動させることができるように、針ハブ１５０の近位変位に対して十分な耐性があってもよい。こうした例においては、ピンサーハブ遠位肩部１４４及び針ハブ遠位キャッチ１５４は針ハブ１５０とハウジング肩部１６６とが接触する前に係合するが、針ハブ１５０は依然としてハウジング肩部１６６と接触するように引き戻される。例えば、以下に更に詳述するとおり、発射後、針ハブ１５０は解除部材１３４と接触してもよい。いくつかの例においては、解除部材１３４と針ハブ１５０との相互作用は、例えば、初めに針ハブの近位変位に耐性があってもよい。
【００２７】
ピンサーハブ１４０を更に引き戻すとき、生検装置１００が装填構成に到達すると、ピンサーハブ遠位肩部１４４と針ハブ遠位キャッチ１５４との間にずれが生じる。
【００２８】
ピンサーハブ１４０は、ピンサーハブ近位キャッチ１４８がハウジング部材１６０の装填キャッチ１６８と係合するまで、近位方向に引き戻される。装填キャッチ１６８を超えたピンサーハブ近位キャッチ１４８の近位変位に適応するために、ピンサーハブアーム１４７は、一時的に放射状に外向きに変位し得る。ピンサーハブアーム１４７及び装填キャッチ１６８の一方又は双方に関連した角度付き面により、こうした変位が容易に行われ得る。次にピンサーハブ近位キャッチ１４８と装填キャッチ１６８との係合により、ピンサーハブ１４０の遠位変位を防止でき、使用者は、ばね１９０上で張力をゆるめることなく、起動装置１２０を解除することができる。次に、生検装置１００は、装填構成にある。
【００２９】
ばね１９０を解除するために生検装置１００を移動させることは、生検装置１００をトリガすることを指す。生検装置１００をトリガするときに、起動アセンブリの構成要素は、順に、組織サンプルを得るために針アセンブリ１８０の構成要素を変位させることができる。ここでも、起動アセンブリは、一般に、生検装置１００に連結された切断部材にエネルギーを伝達するように構成された構成要素を指す。描写した実施形態においては、起動アセンブリは、他の構成要素の中でも、ピンサーハブ１４０、針ハブ１５０、及びばね１９０を備える。
【００３０】
生検装置１００をトリガするために、起動装置１２０が本体部材１１０に対して遠位方向に変位され得る。起動装置１２０が遠位方向に変位され、かつ生検装置１００が装填構成にあるとき、ピンサーハブ近位キャッチ１４８がハウジング部材１６０の装填キャッチ１６８とこれ以上係合しなくなるまで、ピンサーハブアーム１４７が放射状に外向きに変位されるように、起動装置１２０のトリガ面１２９は、ピンサーハブ１４０の角度付きアーム面１４９と相互作用する。これにより、ばね１９０は無荷重となり、ピンサーハブ１４０を加速させて、遠位方向に移動すると、ばね１９０の位置エネルギーがピンサーハブ１４０に伝達される。
【００３１】
ピンサーハブ１４０が遠位方向に変位されると、ピンサーハブ遠位肩部１４４は、針ハブ遠位キャッチ１５４に衝突し、針ハブ１５０を加速させる。以下に更に詳述するとおり、衝突力による針ハブ１５０の加速により、高品質の組織サンプルの回収が容易になり得る。
【００３２】
このため、ピンサーハブ遠位肩部１４４と針ハブキャッチ１５４との相互作用により、ピンサーハブ１４０と針ハブ１５０とが連結する。衝突後、針ハブ１５０と調節可能な停止アセンブリ１３０との間の相互作用により、針ハブ１５０の遠位移動が停止するまで、ピンサーハブ１４０及び針ハブ１５０は共に遠位方向に移動する。具体的には、調節可能な停止アセンブリ１３０の解除部材１３４は、針ハブ遠位端１５９と相互作用する停止面１３７を備えてもよい。以下に更に詳述するとおり、これらの構成要素は直接相互に作用していても、していなくてもよい。具体的には、緩衝要素１７０は、停止面１３７と針ハブ遠位端１５９との間に配置されてもよい。
【００３３】
図６は、線６−６の周りで切り取った図２の一部分の拡大断面図である。図６は、解除部材１３４、ピンサーハブ１４０、針ハブ１５０及び緩衝要素１７０間の関係を更に詳細に示す。図２との関連で示し、記載した他の特徴部も図６に示す。
【００３４】
針ハブ１５０と解除部材１３４との相互作用に関しては、解除部材１３４は、ピンサーハブ１４０と針ハブ１５０とを分離させるためにピンサーハブ１４０とも相互作用し得る。具体的には、かつ図６並びに図２〜図５Ｂを引き続き参照すると、解除部材１３４は、針ハブ角度付き面１５３と相互作用する１つ以上の解除面１３３を備えてもよく、針ハブアーム１５５を放射状に外向きに変位させ、ピンサーハブ遠位肩部１４４と係合していない針ハブ遠位キャッチ１５４を移動させることによって、針ハブ１５０とピンサーハブ１４０とを分離させる。
【００３５】
ピンサーハブ１４０は、一旦針ハブ１５０から分離させると、解除部材１３４との相互作用により針ハブ１５０の変位を停止させた後、針ハブ１５０を超えて遠位方向に延長してもよい。ピンサーハブ１４０は、ピンサーハブ停止面１４５が１つ以上の針ハブ停止面１５６と接触し、このため、ピンサーハブ１４０の遠位運動を止めるまで延長してもよい。したがって、ピンサーハブ１４０は、針ハブ１５０を超えて移動するように構成されてもよい。
【００３６】
一旦生検装置１００がトリガされると、上述のとおり起動装置１２０を近位方向に変位させることによって装填構成に戻すこともある。ここでも、起動装置は、遠位入力部１２２及び近位入力部１２４を備えてもよい。これらの入力部１２２、１２４のいずれか一方は、生検装置１００の装填を行うか、又はトリガするために操作され得る。これらの入力部１２２、１２４の形状、つかみ部、又は位置により、生検装置１００の片手での使用を容易にするか、又は可能にすることもある。例えば、本体部材１１０を把持すると、生検装置１００の装填及びトリガの両方を行うために、使用者は、把持する手の任意の指又は親指で遠位入力部１２２を変位させることができる。更に、使用者は使用中の装置の不用意なトリガを防止するために、安全タブ１２６を操作することができる。例えば、生検装置１００が装填された位置にある場合、起動装置１２０の遠位変位（又はトリガ）が阻止されるように、安全タブ１２６が配置されてもよい。
【００３７】
このため、緩衝要素１７０は、生検装置１００の使用に関連する衝撃、触覚フィードバック、又は反跳及び／若しくは騒音を緩衝するために配置されてもよい。緩衝要素は、任意の衝撃吸収材料、例えば、エラストマー材料、弾性材料、泡、ゴムなどを備えてもよい。１つ以上の緩衝要素１７０を使用することで、生検装置１００の様々な構成要素上での衝撃及び摩耗を更に減少させることができる。例えば、描写した実施形態においては、緩衝要素は、トリガ後、針ハブ１５０の移動を止めるために、緩衝要素１７０が解除部材１３４への針ハブ１５０の衝突に関連したエネルギーを吸収するように、解除部材１３４と針ハブ１５０との間に配置される。緩衝要素１７０の使用により、この相互作用によって針ハブ１５０及び／又は解除部材１３４での変形又は摩耗を減少させ得る。
【００３８】
図示した実施形態においては、針アセンブリ１８０の部分は、生検装置１００の長手方向軸線に沿って延在する。例えば、トロカール１８８は、生検装置１００の軸に沿って延在し、ハウジング部材１６０と連結させてもよい。他の切断要素（針ハブ１６０に関連付けられた生検針及びピンサーハブ１４０に関連付けられたピンサー）などは、トロカール１８８の周りに配置されてもよい。同様に、ピンサーハブ１４０及び／又は針ハブ１５０などの要素は中央内腔を備えてもよく、かつ針アセンブリ１８０の部材の１つ以上がこれらの構成要素の内腔を通るように配置されてもよい。同様に、緩衝部材１７０は、内腔を備えてもよく、かつトロカール１８８及び針アセンブリ１８０の１つ以上の追加部材の周りに配置されてもよい。いくつかの実施形態においては、緩衝部材１７０は、任意の要素に固定して連結されなくてもよく、むしろ、針アセンブリ１８０に沿って浮遊させてもよい。他の実施形態においては、緩衝部材１７０は、針ハブ１５０又は解除部材１３４に連結されてもよい。更には、生検装置１００内の他の部分に配置されている他の緩衝要素は、本開示の範囲内である。
【００３９】
いくつかの実施形態においては、調節可能な停止アセンブリ１３０の操作は、生検装置１００によって切断される組織サンプルの長さを制御するために構成されてもよい。例えば、ピンサーハブ１４０及び針ハブ１５０の全移動長さは、ハウジング部材１６０に対する解除部材１３４の位置によって制御又は調節され得る。ピンサーハブ１４０及び針ハブ１５０の移動長さは変動するため、ピンサーハブ１４０及び針ハブ１５０に連結されるあらゆる切断部材の移動長さも変動する。
【００４０】
調節可能な停止アセンブリ１３０は、連続範囲に沿って解除部材１３４の位置を調節可能にするように構成されてもよい。この範囲は、例えば、解除部材１３４上のねじ山によって画定されてもよい。解除部材１３４のねじ山の相互作用及びハウジング部材１６０に連結されたねじ山の結合により、ハウジング部材１６０に対して解除部材１３４を回転させるとき、ハウジング部材１６０に対する解除部材１３４の長手方向位置が変動し得る。したがって、調節可能な停止アセンブリ１３０は、解除部材１３４の長手方向の変位の範囲に関連する範囲に沿って、生検装置１００によって切断されるサンプルの長さを施術者が調節できるように構成されてもよい。
【００４１】
調節可能な停止部材１３０により、特殊な治療法又は手順において生検装置１００の使用が容易になり得る。この場合も、いくつかの実施形態においては、調節可能な停止アセンブリ１３０は、連続範囲を超えて調節可能であってもよく、施術者は、範囲内の任意の長さのサンプルを切断するように生検装置１００を構成できる。例えば、施術者は、より深部のサンプルを得ることにより、近接組織に不要な外傷が生じ得る場合など、比較的短い組織サンプルを切断することを所望し得る。このため、施術者は、サンプルに近接する組織の切断を回避しながら、所望の長さのサンプルを得るために調節可能な停止アセンブリ１３０の位置を操作してもよい。解除部材１３４を特定の間隔で位置付けするために、別のキャッチを使用する実施形態も、本開示の範囲内である。
【００４２】
調節可能な停止アセンブリ１３０は、任意の長さの連続範囲を超えて調節可能であってもよい。例えば、調節可能な停止アセンブリ１３０は、施術者が、２ｍｍ〜３５ｍｍ（５ｍｍ〜３０ｍｍ及び１０ｍｍ〜２０ｍｍなど）の連続範囲を超えてサンプル長さを調節できるように構成されてもよい。更に、サンプル長さは、２ｍｍ未満、又は３５ｍｍ超の長さに調節可能であってもよい。
【００４３】
描写した実施形態においては、調節可能な停止部材１３０は、調節シェル１３２及び解除部材１３４を備える。調節シェル１３２は、調節シェル１３２の回転により解除部材１３４を回転させるように、解除部材１３４に連結されてもよい。更に、構成要素は、解除部材１３４をハウジング部材１６０に対して長手方向に変位させることができ、調節シェル１３２の長手方向位置がハウジング部材１６０に対して変動しないように配置されてもよい。例えば、解除部材１３４の隆起部は、隆起部及びスロットが解除部材１３４の長手方向の変位を制限することなく、調節シェル１３２の回転変位を伝達できるように、調節シェル１３２のスロット内で変位させてもよい。
【００４４】
こうした配置により、調節シェル１３２及び解除部材１３４を回転させるとき（例えば、解除部材１３４及びハウジング部材１６０のねじ山の結合の相互作用を介して）、調節シェル１３２の長手方向の変位なく、解除部材１３４をハウジング部材１６０に対して長手方向に変位可能にすることができる。図示した実施形態においては、調節シェル１３２上の表示は、解除部材１３４の長手方向の変位と相関し、施術者は、調節シェル１３２の回転及び解除部材１３４上の基準に関する表示の相対的位置を観察することにより、ストローク長さを調節かつ／又は設定することができる。調節可能シェル１３２の回転に関連する触覚又は可聴フィードバックを備える調節可能な停止アセンブリ１３０も、本開示の範囲内である。
【００４５】
上述のとおり、図示した実施形態においては、生検装置１００は、使用中位置エネルギーを貯蔵するためにばね１９０を使用する。また、いくつかの実施形態においては、圧縮ガスなど他のエネルギー源は、ばね１９０と共に、又はばね１９０に代わって使用され得る。
【００４６】
また上述のとおり、生検装置１００は、ピンサーハブ１４０と針ハブ１５０との間の衝突を介して力を針ハブ１５０に伝達させてもよい。また、ピンサーハブ１４０は、別の源（ばね１９０など）から直接ピンサーハブ１４０に位置エネルギーを伝達することによって、加速させてもよい。移動しているピンサーハブ１４０に関連する運動エネルギーの一部分は、衝突時に針ハブ１５０に伝達されてもよい。したがって、生検装置１００は切断部材に力を迅速に伝達するように構成されてもよく、このため、切断中組織サンプルの変形を制限するように構成されてもよい。いくつかの例においては、針又は他の切断部材は、しきい値速度、又は切断速度で移動させるとき、よりきれいに組織を切断する。このため、針の加速中、針は、組織を切断するというよりは、組織を圧縮するか、又は別の方法で変形させることによって、組織を介して移動することもある。衝突力により、非常に迅速に針を加速させることができ、こうしたあらゆる変形を最小限に抑える。例えば、針ハブ１５０を衝突力により加速させることによって、針ハブ１５０に連結された針に近接する組織の初期の変形を最小限に抑えることができる。
【００４７】
このため、生検装置１００は、まずピンサーハブ１４０を加速させることができ、針ハブ１５０を衝突させる前にピンサーハブ１４０を特定の速度に到達させることができる。針ハブ１５０と衝突する前に、ピンサーハブ１４０が衝突速度に到達している必要はないことから、ばね１９０は、比較的小さいばね定数を有するばねを使用できる任意の距離（衝突前にピンサーハブ１４０が変位される距離など）にわたって、衝突速度までピンサーハブ１４０を加速させるように構成されてもよい。ピンサーハブ１４０の「衝突速度」は、針ハブ１５０を切断速度まで加速させるのに十分な衝突力を付与するために、ピンサーハブ１４０が移動する速度として定義され得る。このため、ばね１９０からのエネルギーの伝達によるピンサーハブ１４０の加速に関連する初期の距離により、生検装置１００の構成要素の初期の加速中、必ずしも組織を変形させることにはならない。
【００４８】
加えて、衝突による加速を用いる生検装置１００により、様々な長さの組織サンプルの切断が容易になり得る。衝突構成は、針を実質的に変位させることなく、装置に関連する切断部材を切断速度まで加速させることができる。このため、生検装置１００は、針ハブ１５０が、実質的に変位させることなく切断速度に到達することから、特に短いサンプルを切断するように構成されてもよい。比較すると、ばねによる針ハブの直接的な加速により、針が切断速度に到達する前に針ハブの若干の変位を必要とすることもある。このため、最小サンプル長さは、このような針が切断速度に達するのに必要な変位と少なくとも同じ長さであってもよい。更に、生検装置１００は、切断の最初の部分中に加速させるよりも、サンプル全体の切断中、針が実質的に一定の切断速度を維持するように構成されてもよい。一定の切断速度によって切断されるサンプルは、サンプルの一部分が変形する可能性がある切断部材の加速によって切断されるサンプルよりも一般的に一定であり得る。
【００４９】
ばね１９０に貯蔵される位置エネルギーは、等式Ｅ＝（０．５）ｋｘ２により表すことができ、式中、ｋはばね定数であり、ｘは、圧縮状態にあるばね１９０の変位である。ばね１９０による加速後、ピンサーハブ１４０（及びピンサーハブ１４０に連結されるピンサー構成要素）に関連するエネルギーは、Ｅ＝（０．５）ｍＶ２により表すことができ、式中、ｍはピンサーハブ１４０に連結された構成要素の質量であり、Ｖは、ピンサーハブ１４０の速度である。また、ばね１９０の位置エネルギーに関連する指数因子は、生検装置１００において比較的小さいばね定数を有するばねの使用を容易にし得る。比較的小さいばね定数を有するばねの使用により、より容易に生検装置１００の装填を行うことができ、使用中、衝撃及び反跳を減少させることができる。
【００５０】
上記に詳述するとおり、起動アセンブリは、針ハブ１５０が解除部材１３４に衝突後、ピンサーハブ１４０が設定距離を遠位方向に移動するように構成されてもよく、緩衝要素１７０が針ハブ１５０と解除部材１３４との間に配置される実施形態が挙げられる。このため、いくつかの実施形態においては、針アセンブリ１８０は、針ハブ１５０に関連する針によりサンプルの長手方向部分を切断し、初めに長手方向部分が切断された後、ピンサーハブ１４０に関連にするピンサーによりサンプルの遠位端が切断されるように設計されてもよい。以下に詳述する図７、図８Ａ及び図８Ｂは、針１８６、ピンサー１８２、及びトロカール１８８の例示的構成を示す。切断部材及び異なる移動長さを有する部材を有する針アセンブリの様々な配置は、本開示の範囲内である。針１８６は、以下に更に詳述するとおり、組織サンプルの長手方向部分を切断するように構成された遠位切断縁部を有する中空カニューレを備えてもよく、また、ピンサー１８２は、組織サンプルの遠位部分を切断するように構成された遠位切断部分を有する中空カニューレを備えてもよい。
【００５１】
図７は、図１の生検装置１００の針アセンブリ１８０の一部分の断面図である。図７の構成では、針アセンブリ１８０は、図１〜図３に示す発射構成と反対であるように、装填構成に配置される。針アセンブリ１８０は、トロカール１８８、針１８６、及びピンサー１８２を備える。トロカール１８８は、針アセンブリ１８０の長手方向軸線に沿って及び生検装置（図２の１００）の長手方向軸線に沿って延在してもよい。トロカール１８８は、針ハブ（図２の１５０）及びピンサーハブ（図２の１４０）がハウジング部材（図２の１６０）に対して変位されるとき、針１８６及びピンサー１８２がトロカール１８８に対して変位されるように、ハウジング部材（図２の１６０）に固定させてもよい。
【００５２】
この場合も、図７に示す構成では、生検装置（図２の１００）は、上述のとおり装填構成にあり、これはピンサーハブ（図２の１４０）及び針ハブ（図２の１５０）が近位方向に引き戻されることを意味する（上述の図２に示す構成とは異なる構成であることに留意されたい）。装填構成においては、トロカール１８８は、針アセンブリ１８０の遠位端から延在する。トロカール１８８をこのように配置させると、針アセンブリ１８０が組織を介して（例えば、経皮的又は組織を介する別の方法で）前進され、かつ抽出させる組織に近接して配置される。
【００５３】
生検装置（図２の１００）を上述のとおりトリガさせるとき、針１８６を組織内に前進させて、組織サンプルの長手方向部分を切断する。トロカール１８８がハウジング部材（図２の１６０）に連結されるとき、針１８６は、針ハブ（図２の１５０）がハウジング部材（図２の１６０）に対して変位されるため、トロカール１８８を超えて延在する。上記に詳述するように、針１８６は、ピンサーハブ（図２の１４０）と針ハブ（図２の１５０）との間の衝突により加速させる。
【００５４】
トリガ後、最初に、ピンサーハブ（図２の１４０）と針ハブ（図２の１５０）との間で衝突する前に、ピンサー１８２は針１８６及びトロカール１８８の両方に対して前進する。構成要素は、ピンサー１８２の初期の前進中、ピンサーが依然として針１８６の環状肩部１８１の近位にあるように配置されてもよい。針１８６の環状肩部１８１は、図及び以下に詳細に示すとおり、内径を減少させた針１８６の一部分を備える。衝突後、針１８６及びピンサー１８２は双方とも組織サンプル内に前進する。
【００５５】
上記に詳述するとおり、針ハブ（図２の１５０）が、針ハブ（図２の１５０）とピンサーハブ（図２の１４０）とを分離し、針ハブ（図２の１５０）の前進運動を止める解除部材（図２の１３４）に接触すると、針１８６は、ピンサー１８２より前に停止する。また、針１８６が停止するときに、緩衝要素（図２の１７０）により、衝撃を減少させ得る。
【００５６】
ピンサーハブ（図２の１４０）は、針ハブ（図２の１５０）が停止した後任意の距離を移動し、ストロークの終端での針１８６に対するピンサー１８２の遠位変位に相関する。上記に詳述のとおり、この変位は、ピンサー１８２によるサンプルの遠位端の切断に相関する。
【００５７】
図８Ａは、装填構成にある針１８６及びピンサー１８２を示す。この図では、トロカール（図７の１８８）は示していない。装填構成においては、ピンサー１８２は、針１８６の環状肩部１８１の近位である。この近位でのずれは、針１８６がそのストロークを完了し、長手方向位置を切断するまでに、ピンサー１８２が依然として針１８６の環状肩部１８１の近位にあるように、針ハブ（図２の１５０）と衝突する前、ピンサーハブ（図２の１４０）が移動する距離に相関していてもよい。
【００５８】
図８Ｂは、針ハブ（図２の１５０）及びピンサーハブ（図２の１４０）が分離し、針ハブ（図２の１５０）が解除部材（図２の１３４）に接触（緩衝要素（図２の１７０）との相互作用を介してなど）後、ピンサーハブ（図２の１４０）が遠位方向に移動した後のストローク終端での針１８６及びピンサー１８２を示す。こうしたピンサーハブ（図２の１４０）の移動は、環状肩部１８１がピンサー１８２の部分を放射状に内向きに変位させて、サンプルの遠位端を切断するように、針１８６に対するピンサー１８２の変位に相関する。
【００５９】
したがって、図７及び図８Ａの針アセンブリ１８０要素の位置は、装填構成に対応し、図８Ｂに示す相対的位置は、発射構成に対応する。初期の出荷構成では、上記に更に詳述するように、ばね（図２〜図３の１９０）は、荷重構成でなくてもよいが、ピンサー１８２は、ピンサー１８２が環状肩部１８１の近位であるように配置されてもよい。
【００６０】
図示した実施形態においては、環状肩部１８１は、直径を減少させた針１８６の領域に対応する。図示した実施形態においては、この減少させた直径は、環状肩部１８１から針１８６の遠位端に延在する。他の実施形態においては、ピンサー１８２の部分を変位させるために、突出部、環状リング、又は他の特徴部が配置されてもよい。
【００６１】
生検装置（図２の１００）を再装填すると、針アセンブリは、図７に示す構成に戻り、トロカール１８８が針１８６の外側にサンプルを押し出すように、ピンサー１８２及び針１８６を収縮させる。
【００６２】
図９Ａは、ピンサーの別の実施形態の斜視図であり、図９Ｂは、線９Ｂ−９Ｂから切り取った図９Ａのピンサーの遠位端部分の詳細図であり、その点においては、図１〜図８Ｂに関連して記載したピンサー１８２の構成要素と類似している。なお、すべての図示される実施形態は類似する特徴を有してもよいように認識される。したがって、同様の特徴は、参照番号の先頭の桁が「１」づつ増分されて同様の参照番号が割り当てられる。例えば、ピンサーは、図１〜図８Ｂでは「１８２」と示し、図９Ａ及び図９Ｂでは、類似のピンサーは、「２８２′」が割り当てられる。よって、同様に識別された特徴に関する関連性のある上述される開示は、以後繰り返されなくてもよい。また、図９Ａ及び図９Ｂに示されるピンサー１８２の具体的な特徴及び関連する構成要素は、図面にて示されないか参照番号で識別されない、又は具体的にそれ以降に記載される説明にて取り上げられない場合がある。しかしながら、かかる特徴は、他の実施形態に図示される及び／又はかかる実施形態に対して説明される特徴として、明白に同一であるか、実質的に同一であってもよい。したがって、かかる特徴の関連する説明は、図９Ａ及び図９Ｂに示すピンサー２８２の特徴に同等に適用される。ピンサー２８２、及び図９Ａ及び図９Ｂに示される構成要素に関して記述されている特徴の任意の好適な組み合わせ及びこれらの変化形は、ピンサー１８２及び図１〜図８Ｂの構成要素と共に用いることができ、逆もまた同じである。この開示様式は、その後の図に示し、かつ後述される更なる実施形態にも同じく適用される。
【００６３】
具体的には、図１〜図８Ｂに関して検討されるように、生検装置１００及び針アセンブリ１８０においてピンサー１８２に代わってピンサー２８２を使用することは、本開示の範囲内である。
【００６４】
描写するとおり、ピンサー２８２は、複数の切開要素２８４を備えてもよい。更に、ピンサー２８２は、ピンサー２８２の長さの少なくとも一部分又は一部分に沿って配置される１つ以上の螺旋状の切れ目２８５を備えてもよい。図示した実施形態においては、螺旋状の切れ目２８５は、切開要素２８４の近位にある位置にピンサー２８２の長さの少なくとも一部分に沿って配置される。様々な実施形態においては、ピンサー２８２は、１つ以上の切開要素２８４の近位に配置される螺旋状の切れ目２８５を備えてもよい。いくつかの実施形態においては、螺旋状の切れ目２８５の組織サンプルへの干渉又は組織サンプルへの損傷がないように又は実質的にないように、切開要素２８４に対して十分近位である距離に螺旋状の切れ目２８５が配置されてもよい。
【００６５】
いくつかの実施形態においては、ピンサー２８２は、１つ以上の切開要素２８４（例えば、１、２、３、４、５、６、又はそれ以上の切開要素２８４）を備えてもよい。図示された実施形態では、ピンサー２８２は、６の切開要素２８４を備える。上述のとおり、切開要素２８４は、ピンサー２８２に連結されてもよい。いくつかの構成では、切開要素２８４及びピンサー２８２は、１つの材料から一体成形されていてもよい。特定に実施形態においては、切開要素２８４の少なくとも１つは、鋭利な遠位部分を備えてもよい。図９Ａ及び図９Ｂに描写するとおり、切開要素２８４は、尖頭又はテーパー型遠位部分を備えてもよい。切開要素２８４の少なくとも１つは、少なくとも１つの鋭利な横方向縁部部分を備えてもよい。いくつかの実施形態においては、少なくとも１つの鋭利な横方向縁部部分は、角度が付けられていてもよい。
【００６６】
引き続き図９Ａ及び図９Ｂを参照すると、切開要素２８４は、複数の角度付きの横方向縁部部分を備えてもよい。例えば、切開要素２８４の横方向縁部部分は、鋸歯状であるか、又は切欠き状であってもよい。１つ以上の切開要素２８４のかかる構成は、切開要素２８４によって体内組織を切る又は切断することが容易になり得る。
【００６７】
切開要素２８４に関して上述のとおり、切開要素２８４の形状は、組織サンプルの第２の部分を切断するために、切開要素２８４が同時に又は実質的に同時に互いに対して内側に変位されてもよいように構成されてもよい。生検装置又は針アセンブリの他の構成要素（図７の環状肩部１８１など）との相互作用は、切開要素２８４を内側に変位させるように構成されてもよい。いくつかの実施形態においては、針の内側（図７の１８６）の環状肩部（図７の１８１）の代わりに、針の内径（図７の１８６）、別の突出部、又は他の特徴部の周りに環状リングが配置されてもよい。
【００６８】
いくつかの実施形態においては、螺旋状の切れ目２８５は、ピンサー２８２の壁を介して完全に延在してもよい。いくつかの他の実施形態においては、螺旋状の切れ目２８５は、ピンサー２８２の壁を介して一部分のみ延在していてもよい。例えば、螺旋状の切れ目２８５は、ピンサー２８２の長さの一部分に沿って溝を形成してもよい。更に他の実施形態においては、螺旋状の切れ目２８５の１つ以上の部分は、ピンサー２８２の壁を介して完全に延在してもよく、螺旋状の切れ目２８５の１つ以上の他の部分は、ピンサー２８２の壁内に溝を形成してもよい。
【００６９】
特定の実施形態においては、ピンサー２８２に沿って螺旋状の切れ目２８５を配置することにより、ピンサー２８２に沿ってばね又はばね様部分を形成することができる。螺旋状の切れ目２８５により、ピンサー２８２及び／又は生検針アセンブリに伸展性又は弾性を追加又は付与してもよい。例えば、螺旋状の切れ目２８５により、ピンサー２８２及び／又は生検針アセンブリの構成要素の１つ以上の耐性を改善又は増大させることができる。このように耐性が改善されることにより、ピンサー２８２及び／又は生検針アセンブリの体内組織を介する前進又は変位が容易になり得る。様々な実施形態においては、螺旋状の切れ目２８５は、ピンサー２８２、生検針アセンブリの他の構成要素、及び／又は生検針アセンブリの１つ以上に対する衝突又は衝撃を吸収し得る。例えば、患者の体内組織を介して生検針アセンブリの少なくとも一部分を前進又は変位させるとき、螺旋状の切れ目２８５の少なくとも一部分は、圧縮するか、又は圧縮するように構成されてもよい（すなわち、螺旋状の切れ目２８５は、長手方向に圧縮し、このため、ピンサー２８２の長さを短くし得る）。特定の実施形態においては、螺旋状の切れ目２８５は、ピンサー２８２に対する外側管状部材又は生検針アセンブリの別の構成要素の相対的変位に反応して長手方向に圧縮するように構成させることもできる。
【００７０】
更に、緩衝要素（図２〜３の１７０）に関連して、螺旋状の切れ目２８５を備えるピンサー２８２により、生検装置に対して更なる伸展性及び衝撃吸収性を加えてもよい。かかる衝撃吸収性によりサンプルの品質が上昇し、構成要素の摩耗を減少させ、かつ反跳並びに衝撃を減少させる可能性がある。
【００７１】
１つ以上の力により、螺旋状の切れ目２８５の圧縮となり得るか、又は圧縮を引き起こし得る。例えば、ピンサー２８２を体内組織内に前進させるとき、ピンサー２８２の慣性により、螺旋状の切れ目２８５の圧縮を引き起こし得る。針（図２の１８６など）及び／又はトロカール（図２の１８８など）に対するピンサー２８２の変位も、螺旋状の切れ目２８５の圧縮を引き起こし得る。例えば、ピンサー２８２の外面と外側管状部材の内面との間の摩擦が、螺旋状の切れ目２８５の圧縮を引き起こし得る。更に、環状肩部（図２の１８１）にわたって又は環状肩部（図２の１８１）を超えてピンサー２８２の切開要素２８４又は針の内径の他の特徴部（図２の１８６など）を前進させるか、又は変位させるために使用される力が、螺旋状の切れ目２８５の圧縮を引き起こし得る。
【００７２】
更に、螺旋状の切れ目２８５の少なくとも一部分は、螺旋状の切れ目２８５の圧縮時に、回転され得るか、又は回転されるように構成されてもよい。螺旋状の切れ目２８５の回転によっても、ピンサー２８２の中心軸を中心として、切開要素２８４の回転を引き起こし得るか、又は回転させ得る。ストロークの終端では螺旋状の切れ目が圧縮されないために、螺旋状の切れ目２８５が最初の位置に対して逆回転するとき、この回転により、組織サンプルの遠位端の均一な又は実質的に均一な切断が容易になり得る。
【００７３】
いくつかの実施形態においては、螺旋状の切れ目２８５及び／又は切開要素２８４は、０°及びプラスマイナス９０°の間で回転してもよいか、又は回転するように構成されてもよい。いくつかの実施形態においては、螺旋状の切れ目２８５及び／又は切開要素２８４は、０°及びプラスマイナス４５°の間で、０°及びプラスマイナス３０°の間で、０°及びプラスマイナス１５°の間で、０°及びプラスマイナス５°の間で、又は別の好適な回転度で回転してもよいか、又は回転するように構成されてもよい。また、切開要素２８４の回転により、組織サンプルの遠位端の完全な又は実質的に完全な外周部に沿って切断することができることから、体内組織を介して切開要素２８４を回転させることによって、組織サンプル中においてより清潔な又はより尖った切断を形成し得るか、より清潔な又はより尖った切断になり得る。
【００７４】
様々な方法及び手順は、本開示の範囲内である。生検装置１００の装填方法（上記に詳述のとおり）、組織を介する生検装置１００の前進方法、及び生検装置１００のトリガ方法（上記に詳述のとおり）はすべて、本開示の範囲内である。切断部材の衝撃加速によりサンプルを得る更なる方法及び上述の要素の相互作用を介する衝撃又は反跳の緩衝方法はすべて、本開示の範囲内である。
【００７５】
更なる詳細なしに、当業者は、前述の記載を使用して、本開示をその最大限利用し得ると考えられる。本明細書に開示される実施例及び実施形態は、単に例証及び例示であり、決して本開示の範囲を制限するものではないと解釈されるべきである。当業者及び本開示の利益を有する者にとっては、上記の実施形態の詳細は、本開示の根本にある原則から逸脱することなく変更可能であることは明白にわかるであろう。
【図１】
0006753574.tif 000002
【図２】
0006753574.tif 000003
【図３】
0006753574.tif 000004
【図４】
0006753574.tif 000005
【図５Ａ】
0006753574.tif 000006
【図５Ｂ】
0006753574.tif 000007
【図６】
0006753574.tif 000008
【図７】
0006753574.tif 000009
【図８Ａ】
0006753574.tif 000010
【図８Ｂ】
0006753574.tif 000011
【図９Ａ】
0006753574.tif 000012
【図９Ｂ】
0006753574.tif 000013